【事件の表示】
　特願２００２−　２１０８１「空気調和機の吹出口構造」拒絶査定不服審判事件〔平成１５年　８月　８日出願公開、特開２００３−２２２３５３〕について、次のとおり審決する。
【結　論】
　本件審判の請求は、成り立たない。
【理　由】
１．手続の経緯・本願発明
　本願は、平成１４年１月３０日の特許出願であって、原審において平成１７年７月８日付けで拒絶理由通知がなされたが、この通知で指定された期間内には意見書または手続補正書の提出がなく、平成１７年１１月１６日付けで拒絶査定がなされ、これに対し、平成１７年１２月１５日付けで審判請求がなされたものである。
　よって、本願の請求項１ないし４に係る発明は、願書に最初に添付された明細書及び図面の記載からみて、下記の特許請求の範囲の請求項１ないし４に記載された事項により特定されるものであると認める。
「　【請求項１】　枠体１内に空気流路２を配置し、該空気流路２の端には空気吸込口３と空気吹出口４とを設け、
空気吸込口３から空気吹出口４に至る空気流路２に空気流を作り出す送風機５を設けた空気調和機において、
　空気流路２の出口を形成する空気吹出口４は枠体１内部で上方に向かって開口し、
該空気吹出口４よりも上方の枠体１の前面上部に開口部６を設け、
かつ、枠体１内の空気吹出口４と開口部６とを空気誘導部７によって連通し、
該空気誘導部７は空気吹出口４から上方に向かう空気流を開口部６から枠体１の前方に向かって吹出す空気流に変えると共に、
空気吹出口４には吹出ガード４ａを配置し、空気誘導部７が枠体１の前面の開口部６から枠体１内にのぞむ取っ手８を構成することを特徴とする空気調和機の吹出口構造。
　　【請求項２】　前記空気誘導部７は空気吹出口４の背面側の端部から開口部６の上部の枠体１前面に連続する湾曲板７ａで構成したことを特徴とする請求項１記載の空気調和機の吹出口構造。
　　【請求項３】　前記枠体１の上面には前面側を高くする段部９を形成したことを特徴とする請求項１記載の空気調和機の吹出口構造。
　　【請求項４】　枠体１の前面中央には枠体１内に向けて凹部１０を形成し、
該凹部１０の前方には前面パネル１ａを取付け、
前面パネル１ａの上端と枠体１の前面との間には開口部６を形成すると共に、
前面パネル１ａと凹部１０との間には送風機５を配置し、該送風機５の上方には前面パネル１ａの上端内側と凹部１０の背面との間隔によって空気吹出口４を形成し、
かつ、空気吹出口４と開口部１０との間には枠体１の凹部１０によって空気誘導部７と取っ手８とを構成した請求項１記載の空気調和機の吹出口構造。」
　
　
２．引用例
　原査定の拒絶の理由で引用された、
刊行物１：特開２０００−１２１１１１号公報
刊行物２：特開平１０−２９２９２９号公報
　
　
３．引用例に記載された発明
（１）刊行物１に記載された発明
《記載事項》
　刊行物１には、次のａ〜ｆの記載がある。
ａ．「【０００１】
【発明の属する技術分野】本発明は、空気清浄機に係り、特に、床置きおよび壁掛け（逆さ吊り状態）して使用するのに好適な空気清浄機に関する。」
　
ｂ．「【０００４】
【発明が解決しようとする課題】このような空気清浄機は、可及的に、室内空気を効率良く循環させて優れた集塵および脱臭性能を発揮すること、床置きまたは壁掛け状態で小形（薄型）に感じられること（スリム感）、床置き状態で安定性が高いこと、・・・などが望まれている。
【０００５】本発明は、このような要望を可及的に満足することができる空気清浄機を提供することにある。
【０００６】
【課題を解決するための手段】本発明は、
室内空気を前面の吸い込みパネルから機内に吸い込み、上面の吹き出し口から室内に吹き出す
室内空気を機内を通して
【０００７】また、前記吸い込みパネルは、上端部がオーバーハングするように湾曲させ、その吸い込み窓の通気開口の開口率は、上部領域が下部領域よりも大きくなるようにする。この開口率は、上部領域において、徐々に大きくなるようにすると良い。」（下線は当審が付した。以下、同じ。）、
　
ｃ．「【００１１】
【発明の実施の形態】本発明の一実施形態を図１〜図９を参照して説明する。
【００１２】図１は、本体フレームと該本体フレームに取り付ける送風手段と紫外線ランプと操作部および制御手段の分解斜視図である。図２は、本体フレームの前面側に取り付ける光触媒脱臭手段と集塵手段と吸い込みパネルの分解斜視図である。図３は、本体フレームの後面側に取り付ける後ケースと該後ケースに設ける吹き出しグリルと吊り具の分解斜視図である。図４は、表示パネルの正面図である。図５は、この空気清浄機の縦断側面図である。
【００１３】
本体フレーム１は、
前方を開放した略角形の縦型の薄い箱（額縁）状に構成する
前面側凹部１ａの奥壁には通気窓１ｂを形成する
【００１４】
この本体フレーム１の前面側凹部１ａ内には
集塵フィルター６を
内蔵し
その外側を吸い込みパネル７で覆うように該吸い込みパネル７を開口縁に嵌着する
【００１５】本体フレーム１に対する吸い込みパネル７の嵌着は、この吸い込みパネル７の下端部に突設した係合突起７ｂ，７ｃを本体フレーム１の前面側凹部１ａの下壁に形成した係合穴１ｃ，１ｄに係合するようにして該吸い込みパネル７の角形筒枠部７ａを該本体フレーム１の前面側凹部１ａ内に押し込み、上端部に突設した係合突起７ｄを本体フレーム１の上端縁部に形成した係合凹部１ｅに係合させて抜け止めするように行う。
　　　　　　　　　　・・・・・
【００１８】そして、
この本体フレーム１の凹部１ａの後側には、モータ取り付け金具１０によってＤＣインバータモータ１１を挟持するように設置してシロッコファン１２を取り付け、その周囲を中間プレート１３に形成したスクロール１３ａによって包囲する
　　　　　　　　　　・・・・・
【００２２】このように部品を取り付けた
本体フレーム１の後側は、後ケース１９で覆う
この後ケース１９は、その上側面に、吹き出しグリル２０を嵌着した吹き出し口１９ａを備え
この吹き出し口１９ａは、更に、着脱可能な吹き出しカバー２１で覆うことによって、吹き出し方向を変えることができるようにしている
この吹き出し口１９ａを前記スクロール１３ａの吐出口に相応させて設けることは、当然である
【００２３】また、この後ケース１９の下面には、床置きするためのゴム脚２２を取り付け、後面側には、壁に取り付けた壁掛け金具２３に逆さ吊りするための吊り金具２４ａ，２４ｂを備える。」
　
ｄ．「【００４３】次に、本発明の他の実施形態を図１０〜図１４を参照して説明する。前述した実施形態と同一または等価な構成部品については、同一の参照符号を付して重複する説明を省略し、あるいは図示説明を省略する。
【００４４】先ず、図１０〜図１３を参照して、この実施形態に係る空気清浄機の概略構造を説明する。図１０は、この空気清浄機を正面側から見た外観斜視図、図１１は平面図、図１２は正面図、図１３は側面図である。
【００４５】この
空気清浄機の骨格は、前部を構成する本体フレーム１と、後部をカバーする後ケース１９と、前記本体フレーム１の正面に着脱可能に取り付けられる吸い込みパネル７とから構成される
【００４６】前記本体フレーム１は、前記実施形態と同様に、奥行き方向に薄い箱型の形態を呈し、その前面をほぼ矩形状として、その中央に凹状の前面側凹部が形成されている。この前面側凹部の開口縁には吸い込みパネル７が着脱可能に取り付けられ、前記本体フレーム１と共に、集塵フイルターを収納するフイルター収納部を構成する。
【００４７】前記
吸い込みパネル７の吸い込み窓７ｅは
　　　　　　　　　　・・・・・
【００５９】しかしながら、この実施形態における吸い込みパネル７は、先ず、上端部がオーバーハングするように湾曲した湾曲面を呈するとすると共に、吸い込み窓７ｅの通気開口面積（開口率）を上部領域が下部領域より大きくしたことにより、吸い込み窓７ｅの上部領域での吸い込み力が強くなって効率良く吸い込むことができる。従って、
タバコ４３から立ち上がった煙４４は
吸い込み窓７ｅに吸い込まれる
　
ｅ．「【００６７】
【発明の効果】以上のように本発明は、室内空気を効率良く循環させて優れた集塵および脱臭性能を発揮することができ、床置きまたは壁掛け状態で小形（薄型）に感じられ（スリム感）、床置き状態で安定性が高く、床置きまたは壁掛けの何れの状態でも表示が見易くなる効果がある。
【００６８】また、吸い込みパネルは、上端部がオーバーハングするように湾曲させ、その吸い込み窓の通気開口の開口率を上部領域が下部領域よりも大きくなるようにしたので、上昇する煙を効率良く引き寄せて吸い込むことができる。」
　
ｆ．図２に図示される「吸い込みパネル７」の前面には、複数の細長い四角形状のものが記載されている。また、図３及び図５には「吹き出しカバー２１」の形状が図示されている。
　
　
《発明の認定》
したがって、これらのａ〜ｆの記載から明らかなように、刊行物１には、
「前方を開放した略角形の縦型の薄い箱状に構成された本体フレーム１の後側が後ケース１９で覆われた空気清浄機であって、
この本体フレーム１の前面側凹部１ａ開口縁にその外側を覆うように吸い込みパネル７を嵌着し、室内空気をこの吸い込みパネル７から機内に吸い込み、
この前面側凹部１ａ内に集塵フィルター６を内蔵し、さらに前面側凹部１ａの奥壁には通気窓１ｂを形成し、前面側凹部１ａの後側には、ＤＣインバータモータ１１を設置してシロッコファン１２を取り付け、その周囲を中間プレート１３に形成したスクロール１３ａによって包囲し、
上記の後ケース１９の上側面には、吹き出しグリル２０を嵌着した吹き出し口１９ａを備え、この吹き出し口１９ａを前記スクロール１３ａの吐出口に相応させて設け、この吹き出し口１９ａを着脱可能な吹き出しカバー２１で覆うことによって、前面の吸い込みパネル７から機内に吸い込まれた室内空気を、機内を通して、上面の吹き出し口１９ａから室内に吹き出す際、吹き出す方向を変えることができるようにした空気清浄機。」
という発明が記載されている。
　
　
（２）刊行物２に記載された発明
《記載事項》
　刊行物２には、次のａ〜ｄの記載がある。
ａ．「【特許請求の範囲】
【請求項１】  
吸気口と吹出口を設けた搬送可能な本体ケース内に送風機を配設し、該送風機の駆動により前記吸気口より空気を吸い込み吹出口より吹き出す空気調和機において、前記吹出口に、吹出口よりの風の吹き出し方向を変向する風向変向部と本体ケースを搬送する取手部とを一体に形成した風向変向体を設けたことを特徴とする空気調和機
　
ｂ．「【０００１】
【発明の属する技術分野】本発明は、本体ケースが搬送可能な空気調和機に関する。
【０００２】
【従来の技術】従来の搬送可能な空気調和機・・・においては、本体ケースの上部および前面に吹出口が設けられ、上部の吹出口に回動自在な風向案内板が取り付けられている。この風向案内板により上部吹出口から吹き出される風の吹き出し角度を変向している。そして、風向案内板で上部吹出口を覆うことで前面の吹出口より吹き出されるようになっている。一方、本体ケースの上部には、この本体ケースを持ち運ぶための取手が回動自在に設けられており、この取手を垂直に立てて本体ケースを持ち運んでいる。
【０００３】上記構成の空気調和機は、取手が風向案内板と同様に回動するにもかかわらず、取手と風向案内板とは別体で構成されており、部品点数や組立工数が増え、コストのかかるものとなっていた。
【０００４】
【発明が解決しようとする課題】本発明は、製造コストと組立工数の低減できる空気調和機を提供することを課題とする。
【０００５】
【課題を解決するための手段】上記課題を解決する手段は、吸気口と吹出口を設けた搬送可能な本体ケース内に送風機を配設し、該送風機の駆動により前記吸気口より空気を吸い込み吹出口より吹き出す空気調和機において、前記吹出口に、吹出口よりの風の吹き出し方向を変向する風向変向部と本体ケースを搬送する取手部とを一体に形成した風向変向体を設けたものである。これにより、部品点数と組立工数を削減できる。」
　
ｃ．「【０００９】
【発明の実施の形態】本発明の実施の形態を図面に基づき説明する。なお、以下の説明では、空気調和機として、除湿機を例に説明するが、本発明はこれに限定されるものではなく、搬送可能な冷風機、エアコン等にも適用できる。
【００１０】１は本体ケースで、前ケース２と、後ケース３と、図示しない底板から構成されている。この前ケース２の正面には吸気口４とその上方に前面吹出口５が形成されており、前面の下方には左側を回転中心として水平方向に回動する開閉蓋６が設けられている。この開閉蓋６には前ケース２の係合穴７に挿入係合する係合爪８が形成されており、開くことにより本体ケース１内の水タンク９を着脱できるようになっている。また、後ケース３の上面には上部吹出口１０が形成されており、倒した際にこの上部吹出口１０を覆うように後述する起倒自在に風向変向体１１が設けられている。
【００１１】一方、本体ケース１の内部には、熱交換器である蒸発器及び凝縮器並びに送風機（いずれも図示せず）が吸気口４から奥に向かって配設されている。この送風機を駆動することにより、吸気口４から後述するフィルター１２を通して吸い込まれた室内の空気は熱交換器により除湿乾燥され、上部吹出口１０及び前面吹出口５に送られる。この空気は主として上部吹出口１０より吹き出されるようになっているが、上部吹出口１０の抵抗が増えると（風向変向体１１が倒れる方向、即ち、上部吹出口１０を閉じる方向に回動されるた場合）前面吹出口５より吹き出されるようになり、その量は上部吹出口１０の抵抗が増すと増加する。
【００１２】１２はフィルターで、除塵機能及び脱臭機能を有しており、前ケース２の側面より着脱できるようになっている。
【００１３】
１１は風向変向体で、上部吹出口１０よりの風の吹き出し方向を変向する風向変向部１３と、本体ケース１を搬送するための取手部１４とが一体に形成されている。
【００１４】風向変向体１１で上部吹出口１０を塞いだ状態で、上部吹出口１０と連通しない位置には長穴１７が形成されており、この長穴１７から指を挿入して取手部１４を把持することができるようになっている。これにより、本体ケース１を容易に搬送できる。
【００１５】また、風向変向体１１の支軸１８は除湿機のほぼ重心の上方に形成されており、これにより、安定して本体ケース１を搬送できる。また支軸１８を突出した基端部１９が上部吹出口１０の口縁と摺動し、この摺動抵抗により風向変向体１１を任意の回動位置にて保持できるようになっている。」
　
ｄ．「【００２０】
【発明の効果】本発明の請求項１の構成によれば、吹出口に、吹出口よりの風の吹き出し方向を変向する風向変向部と本体ケースを搬送する取手部とを一体に形成することで、部品点数と組立工数を削減できるので、製品の製造コストを低減できる。」
　
　
《発明の認定》
したがって、これらのａ〜ｄの記載から明らかなように、刊行物２には、
「吸気口４と吹出口を設けた搬送可能な本体ケース１内に送風機を配設し、該送風機の駆動により前記吸気口４より空気を吸い込み、上部吹出口１０より吹き出す空気調和機において、前記上部吹出口１０に、この上部吹出口１０よりの風の吹き出し方向を変向する風向変向部１３と本体ケース１を搬送する取手部１４とを一体に形成した風向変向体１１を設けたことを特徴とする空気調和機。」
という発明が記載されている。
　
　
　
４．対比・判断
（１）対比
　本件の請求項２に係る発明（以下「本件発明２」という。）と、刊行物１に記載された発明とを対比する。
　刊行物１に記載された発明における
・本体フレーム１及び後ケース１９、
・吹き出し口１９ａ、
・吹き出しグリル２０、
・シロッコファン１２、
・吹き出しカバー２１前端の開口部（図３及び図５参照）、
・吹き出しカバー２１、
・空気清浄機、
は、本件発明２における
・枠体１
・空気吹出口４、
・吹出ガード４ａ、
・送風機５、
・開口部６、
・空気誘導部７、
・空気調和機、
にそれぞれ相当すると認められる。
　刊行物１の図２には、発明の一実施形態に関して、「吸い込みパネル７」の前面に、複数の細長い四角形状のものが図示されている。この細長い四角形状のものが、室内空気が吸い込まれる窓状のものであることは、段落【０００６】の「本発明は、室内空気を前面の吸い込みパネルから機内に吸い込み、・・・」という記載、及び、段落【００４３】の「次に、本発明の他の実施形態を図１０〜図１４を参照して説明する。」、段落【００５９】の「・・・この実施形態における吸い込みパネル７は、・・・タバコ４３から立ち上がった煙４４は、・・・吸い込み窓７ｅに吸い込まれる。」等の記載からみて自明である。そして、この「室内空気が吸い込まれる窓状のもの」は、本件発明２における「空気吸込口３」に相当する。
　また、刊行物１に記載された発明において、「前面の吸い込みパネル７から機内に吸い込まれた室内空気を、機内を通して、上面の吹き出し口１９ａから室内に吹き出す」（上記３．（１）《発明の認定》の項参照）にあたり、「前面の吸い込みパネル７から機内に吸い込まれた室内空気」が、「本体フレーム１及び後ケース１９」内に設けられた「集塵フィルター６」「通気窓１ｂ」及び「シロッコファン１２」を通過して、「吹き出し口１９ａ」に至ることは明らかであり、したがって、刊行物１に記載された発明においても、枠体（本体フレーム１及び後ケース１９）内に、上記「室内空気が吸い込まれる窓状のもの」及び「吹き出し口１９ａ」を端とする空気流路が設けられ、かつ、この空気流路に室内空気を循環させる送風手段（シロッコファン１２）が設けられていることは自明である。
　さらに、刊行物１の図３，５に図示されるところから、「吹き出しカバー２１」は、「吹き出し口１９ａ」後端から、この「吹き出しカバー２１」の前端における開口部の上部に連続する湾曲板で構成され、かつ、この開口部から前方に向かって空気が室内へ吹き出されることは自明である。
　
　
（２）一致点
　したがって、両発明は、
「　枠体内に空気流路を配置し、該空気流路の端には空気吸込口と空気吹出口とを設け、
空気吸込口から空気吹出口に至る空気流路に空気流を作り出す送風機を設けた空気調和機において、
　空気流路の出口を形成する空気吹出口は上方に向かって開口し、
該空気吹出口よりも上方に開口部を設け、
かつ、空気吹出口と開口部とを空気誘導部によって連通し、
該空気誘導部は空気吹出口から上方に向かう空気流を開口部から前方に向かって吹出す空気流に変えると共に、
空気吹出口には吹出ガードを配置し、前記空気誘導部は空気吹出口の背面側の端部から開口部の上部に連続する湾曲板で構成したことを特徴とする空気調和機の吹出口構造。」
で一致する。
　
（３）相違点
　そして、両発明は、次のＡ，Ｂの２点で相違する。
　相違点Ａ：本件発明２では、（ａ）「（空気吹出口４は）枠体１内部で（上方に向かって開口し、）」、（ｂ）「枠体１の前面上部に（開口部６を設け、）」、（ｃ）「枠体１内の（空気吹出口４と開口部６とを空気誘導部７によって連通し、）」、（ｄ）「（空気流を開口部６から）枠体１の（前方に向かって吹出す）」ようにし、（ｅ）「（空気誘導部７は・・・開口部６の上部）の枠体１前面（に連続する湾曲板７ａで構成し）」ている。
　これに対し、刊行物１に記載された発明では、（ａ）吹き出し口１９ａは上方に向かって開口しているが、
枠体（本体フレーム１及び後ケース１９）内部で
枠体（本体フレーム１及び後ケース１９）の前面上部に
枠体（本体フレーム１及び後ケース１９）内部の
枠体（本体フレーム１及び後ケース１９）の
の枠体（本体フレーム１及び後ケース１９）前面
　
　相違点Ｂ：本件発明２では、「空気誘導部７が枠体１の前面の開口部６から枠体１内にのぞむ取っ手８を構成する」とされている。
　これに対し、刊行物１に記載された発明では、「吹き出しカバー２１」がこのような取っ手を構成していない。
　
　
（４）相違点についての検討
《相違点Ａについての検討》
　相違点Ａにおける（ａ）〜（ｅ）のような違いは、刊行物１に記載された発明において、吹き出しカバー２１が枠体（本体フレーム１及び後ケース１９）に対し着脱可能な構成であり、枠体に対し一体に設けられていない、あるいは枠体の一部として設けられていないことに起因すると考えられる。
　しかるに、空気清浄機の技術分野において、空気吹き出し口あるいは、それに空気を誘導する部材を本体に一体に設ける、または本体の一部として設けることは周知の技術である。
　（もし、周知文献が必要であれば、
　　・特開昭６４−１１６２１号公報
　第８図には「ケーシング１」に「吐出口５」が一体に設けられていることが図示されている。（特に第８図における「ケーシング１」、「吐出口５」に空気を案内する部材に施されたハッチングを参照）、
　　・特開平３−６８４１４号公報
「第１図は、本発明の空気清浄装置１０の・・・断面図である。空気清浄装置１０は吸引口１２及び
吹出口１４を設けた箱体１５
　　・特開平１１−７２２４７号公報
「図１３は中央縦断面図である。この局所清浄型空気清浄機は、
空気清浄機本体１の
前面の最も上部に清浄空気吹き出し口２０を有し
吐出される空気を清浄空気吹き出し口２０に導く空気流路２１を有している
等を参照。）
　したがって、刊行物１に記載された発明に、上記周知技術を組み合わせ、刊行物１に記載された発明の「吹き出しカバー２１」を「本体フレーム１」または「後ケース１９」に一体に設け、あるいはこれらのものの一部として設け、それにより、相違点Ａにおける本件発明２の特定事項に到達することは当業者であれば容易である。
　
　
《相違点Ｂについての検討》
　刊行物２に記載された発明では、「・・・前記上部吹出口１０に、この上部吹出口１０よりの風の吹き出し方向を変向する風向変向部１３と本体ケース１を搬送する取手部１４とを一体に形成した風向変向体１１を設け・・・」（上記３．(２)《発明の認定》の項参照）としている。
　そして、このようにすることにより、「製造コストと組立工数の低減できる空気調和機を提供する」という課題を解決している（刊行物２段落【０００４】参照）。
　しかるに、こうした課題は刊行物１に記載された発明においても自明な課題であるから、両発明には課題の共通性がある。
　したがって、刊行物１に記載された発明に、刊行物２に記載された発明を組み合わせ、相違点Ｂにおける本件発明２の特定事項の内、「空気誘導部７が・・・取っ手８を構成する」に到達することは当業者であれば容易である。
　また、相違点Ｂにおける本件発明２の特定事項の内、「・・・枠体１の前面の開口部６から枠体１内にのぞむ・・・」については、上記《相違点Ａについての検討》の項で検討した理由と同じ理由で、このようにすることは当業者であれば容易である。
　
　
（５）発明の効果についての検討
　本件発明２の効果は、刊行物１，２に記載された発明及び上記の周知技術に基づいて当業者が容易に推測できたものである。
　
　
（６）まとめ
　このように、本件発明２は、刊行物１，２に記載された発明及び上記の周知技術に基づいて当業者が容易に発明をすることができたものである。
　
　
　
５．むすび
　以上のとおりであるから、本件発明２は、刊行物１，２に記載された発明及び上記の周知技術に基づいて当業者が容易に発明をすることができたものであり、特許法第２９条第２項の規定により特許を受けることができない。
　したがって、本件の請求項１，３，４に係る各発明については検討するまでもなく、本件出願は拒絶すべきものである。
　よって、結論のとおり審決する。